(57)【要約】【課題】  セット商品を構成する個々の商品の選択を容易に行えるようにし、また、選択したセット商品の個々の商品が何であったかなどを分かりやすくするインタフェースを提供することを目的とする。【解決手段】  一実施の形態によれば、購入しようとするセット商品の情報を登録する登録部と、前記登録部に登録された商品の情報を表示する表示部と、前記登録部と前記表示部とを制御する制御部と、を備え、前記制御部は、前記セット商品が前記登録部に登録されると登録されたセット商品を構成する商品の個数に応じた数の複数の構成商品領域を表示するように前記表示部に指示する商品販売処理装置が提供される。【選択図】図３
2019117469.tif 000002
【特許請求の範囲】
【請求項１】
購入しようとするセット商品の情報を登録する登録部と、
前記登録部に登録された商品の情報を表示する表示部と、
前記登録部と前記表示部とを制御する制御部と、を備え、
前記制御部は、前記セット商品が前記登録部に登録されると登録されたセット商品を構成する商品の個数に応じた数の複数の構成商品領域を表示するように前記表示部に指示する、
商品販売処理装置。
【請求項２】
前記制御部は、前記構成商品領域と共に前記セット商品の商品となり得る商品群を表示するように前記表示部に指示する、
請求項１に記載の商品販売処理装置。
【請求項３】
前記制御部は、前記構成商品領域に、前記商品群の中から商品を選択するよう促す指示を表示するように、かつ前記商品群から商品が選択されると、前記指示に代えて、選択された前記商品を識別する情報を、前記構成商品領域に表示するように前記表示部に指示する、
請求項２に記載の商品販売処理装置。
【請求項４】
前記複数の構成商品領域の各々は商品カテゴリーに関する属性を持ち、
前記制御部は、
前記複数の構成商品領域がアクティブの状態であること又はアクティブでない状態であることを表示し、
前記商品群に、アクティブの状態となっている構成商品領域が持つ属性の商品カテゴリーに一致する商品群を表示し、
前記商品群から商品が選択されると、アクティブな状態の構成商品領域に、選択された前記商品を識別する情報を表示する、
ように前記表示部に指示する、
請求項２又は３に記載の商品販売処理装置。
【請求項５】
前記制御部は、アクティブの状態の構成商品領域に所定の商品を識別する情報が既に表示されている場合であって、前記所定の商品とは異なる商品の選択が前記商品群からなされた場合、当該所定の商品を識別する情報に代えて、前記異なる商品を識別する情報を、当該アクティブの状態の構成商品領域に表示するように前記表示部に指示する、
請求項４に記載の商品販売処理装置。
【請求項６】
前記セット商品を確定させる確定キーを更に有し、
前記制御部は、前記確定キーが操作されるまで前記選択を許可する、
請求項５に記載の商品販売処理装置。
【請求項７】
セット解除キーと、セット適用キーとを更に有し、
前記制御部は、前記セット解除キーが操作されると、セット商品に含まれる商品を単品購入の商品に変更して、前記登録部に前記単品購入の商品を登録し、
前記制御部は、前記セット適用キーが操作されると、前記登録部に登録されている商品をセット商品に含める第１の処理が可能か否か、又は複数のセット商品を他のセット商品に組み直す第２の処理が可能か否かを判断し、可能である前記第１の処理又は可能である前記第２の処理を行った結果を前記登録部に登録するように指示するとともに、前記結果を表示するように前記表示部に指示する、
請求項１ないし６のうちいずれか１項に記載の商品販売処理装置。
【請求項８】
前記制御部は、前記セット適用キーが操作されると、顧客が購入する全ての商品の金額の合計が最小となるように、前記第１の処理又は前記第２の処理を行う、
請求項７に記載の商品販売処理装置。
【請求項９】
購入しようとするセット商品の情報をメモリに登録するステップと、
登録された商品の情報を表示する表示ステップと、
前記セット商品が登録されると登録されたセット商品を構成する商品の個数に応じた数の複数の構成商品領域を表示するステップと、
をコンピュータに実行させる商品販売処理プログラム。
【発明の詳細な説明】
【技術分野】
【０００１】
本発明は、商品販売処理装置及び商品販売処理プログラムに関する。
【背景技術】
【０００２】
スーパーマーケット、ファーストフード店、レストランなどでは、複数の商品又は複数のサービスを組み合わせたセット商品を販売しあるいはサービス提供を行っている。以下の説明では、商品及びサービスを区別せずに、「商品」の語を用いて説明する。
【０００３】
このセット商品は、セット商品を構成する個々の商品を単品で購入する場合よりも安い価格を設定し提供することで、複数の商品の販売を促進させる効果がある。
【０００４】
例えば、入力部からセット商品のセット販売数が入力されると、その入力されたセット販売数を表示するセット販売数表示手段と、単品リストに表示された単品の選択入力を受付ける単品選択受付手段と、この単品選択受付手段により単品の選択入力を受付ける毎に、セット販売数表示手段により表示されるセット販売数を１ずつ減じるセット販売数更新手段と、単品選択受付手段により選択入力を受付けた単品を、入力部を介してデータ入力されたセット商品を構成する商品として確定するセット確定手段とを備えた技術が存在する（例えば、特許文献１参照）。
【先行技術文献】
【特許文献】
【０００５】
【特許文献１】特許第５２３２８９４号公報
【発明の概要】
【発明が解決しようとする課題】
【０００６】
上記に従来技術の一例として取り上げたように、この種のセット商品の販売のための技術は、セット商品を構成する個々の商品を容易に選択することなどに力点が置かれていた。このため、選択したセット商品の内容自体がわかりにくく、しかもセット商品を構成する個々の商品として、何が選択されたのかを確認することも容易ではなかった。加えて、セット商品を複数購入するような場合には、個々に選択された商品が複数のセット商品に関連するため、セット商品に含めた個々の商品を変更する場合にも、その確認作業と変更作業に困難性を伴うなどの不都合があった。
【０００７】
本発明は、このような事情に鑑みなされたものであって、セット商品を構成する個々の商品の選択を容易に行えるようにし、また、選択したセット商品の個々の商品が何であったかなどを分かりやすくするインタフェースを提供することを目的とする。
【課題を解決するための手段】
【０００８】
一実施の形態によれば、購入しようとするセット商品の情報を登録する登録部と、前記登録部に登録された商品の情報を表示する表示部と、前記登録部と前記表示部とを制御する制御部と、を備え、前記制御部は、前記セット商品が前記登録部に登録されると登録されたセット商品を構成する商品の個数に応じた数の複数の構成商品領域を表示するように前記表示部に指示する商品販売処理装置が提供される。
【発明の効果】
【０００９】
開示の態様によれば、より簡単にセット商品を構成する商品を選択することができ、より簡単に、選択した商品を変更することができる。
【図面の簡単な説明】
【００１０】
【図１】実施形態の外観を示す図である。
【図２】実施形態のハードウエア構成を示した図である。
【図３】実施形態の要部の構成を示すブロック図である。
【図４】セット商品のセットメニューの例を示す図である。
【図５】実施形態における商品を選択するためのメイン選択画面の例を示す図である。
【図６】セット商品を構成する複数の商品のうちの第１の商品を選択する画面の例である。
【図７】セット商品を構成する複数の商品のうちの第２の商品を選択する画面の例である。
【図８】セット商品を構成する複数の商品のうちの第３の商品を選択する画面の例である。
【図９】セット商品を構成する複数の商品の選択が終了したときの画面の例である。
【図１０】セット商品が選択された後のメイン選択画面の例である。
【図１１】セット商品の構成を変更する指示を与えたときのメイン選択画面の例である。
【図１２】セット商品を構成する商品の変更を行う画面の例である。
【図１３】セット商品を構成する商品を変更した直後の画面の例である。
【図１４】セット商品を構成する商品が変更された後のメイン選択画面の例である。
【図１５】セット商品を構成する商品を単品商品に変更した画面の例である。
【図１６】セット商品と単品商品が選択されているメイン画面の例である。
【図１７】セット適用キーを押下してセット商品が組み直された例である。
【図１８】実施形態の概要の処理を示すフローチャートである。
【図１９】セット商品を構成する商品の個数分の数の構成商品領域に指示を表示させるフローチャートである。
【図２０】セット解除キーが押下されたときの処理を示すフローチャートである。
【図２１】セット適用キーが押下されたときの処理を示すフローチャートである。
【発明を実施するための形態】
【００１１】
以下に、複数の実施形態について、図を参照しながら説明を行う。なお、これらの実施形態は例示である。したがって、個々の実施形態は、発明の技術的範囲を限定するためのものではない点に留意すべきである。
【００１２】
それぞれの実施形態は、排他的なものではなく、矛盾のない限り、適宜組み合わせて実施することができる。また、処理のフローは、矛盾のない限り、順番を変更してもよく、あるいは同時に実行してもよい点に留意すべきである。また、個々の処理フローは、適宜に組み合わせて実施することができる。
【００１３】
また、実施形態では、使用するハードウエアとして店舗におけるＰＯＳ端末を用いて説明する部分があるが、ハードウエアは、ＰＯＳ端末に限定されるものではなく、携帯端末であってもよい。携帯端末は、顧客が所有する携帯電話、タブレットばかりでなく、店舗が所有し店舗職員が使用するか、顧客に貸し与えるハンディ端末などであってもよい。ＰＯＳ端末は、店舗の精算時に店舗職員が操作するものばかりでなく、店舗職員と顧客の両者が共同して操作するＰＯＳ端末、顧客のみが操作するＰＯＳ端末や券売機などであってもよい。
【００１４】
すなわち、以下の実施形態で実現される諸機能は、いかなる態様のハードウエアで実現されてもよく、あるいは、複数のハードウエアが連携し情報を共有しながら実現されてもよいことは言うまでもない。実施形態で説明するネットワークには、サーバなど、データを蓄積し、あるいは、指示を与えるマシンが介在してもよい。
【実施例】
【００１５】
図１は、本発明の実施形態の外観を示す図である。
図１（Ａ）は、本実施形態が実装されたＰＯＳ端末１００の外観を示している。ＰＯＳ端末１００は、顧客用ディスプレイ１１０、オペレータ用ディスプレイ１２０、入力キー１３０を有する。オペレータ用ディスプレイ１２０には、タッチパネル（不図示）が画面上に設置されていることが望ましい。タッチパネルをオペレータ用ディスプレイ１２０に設置することで、表示画面を用いたインタラクティブな操作を可能とするユーザインタフェースが実現できる。
【００１６】
図１（Ｂ）は、タッチパネルを備える画面１５５を有する携帯端末１５０が、無線通信１８０などを利用して、ＰＯＳ端末１００などと通信し、本実施形態を実現する例を示している。携帯端末１５０にインストールされるプログラムは、プログラム単体として販売されてもよい。携帯端末１５０は、顧客が所有する携帯端末、又は店舗が所有し店員が使用するか顧客に貸し与えるものであってもよい。
【００１７】
図２は、実施形態のハードウエア構成を示した図である。ハードウエア構成は、ＣＰＵ２１、本実施形態のプログラム及びデータが格納されるＲＯＭ２２、ＲＡＭ２３、ネットワークインターフェース２５、入力インタフェース２６、表示インタフェース２７、外部メモリインタフェース２８を有する。これらのハードウエアは、バス２４によって相互に接続されている。
【００１８】
ネットワークインターフェース２５は、ネットワーク２２０に接続されている。ネットワーク２２には、有線ＬＡＮ、無線ＬＡＮ、インターネット、電話網などがある。入力インタフェース２６には、入力部２２１が接続されている。入力部２２１は、キー、タッチパネルなどが挙げられる。表示インタフェース２７には、表示部２２２が接続される。表示部２２２としては、ＰＯＳ端末の画面、携帯端末の画面などが挙げあれる。外部メモリインタフェース２８には、記憶媒体２２３が接続される。記憶媒体２２３は、ＲＡＭ、ＲＯＭ、ＣＤ−ＲＯＭ、ＤＶＤ−ＲＯＭ、ハードディスク、メモリーカード等であってもよい。記憶媒体には、本実施形態を実現するプログラムが格納され得る。
【００１９】
後述する実施形態のプログラムは、図２に示されるハードウエア構成を備えるコンピュータにより実行され得る。また，実施形態のプログラムは，コンピュータに実行させる方法として，インプリメントされてもよい。本実施形態のプログラムの一部又は全部は、オペレーティングシステムにより実行されてもよい。また、プログラムの一部がハードウエアにより実現されてもよい。プログラムは記憶媒体２２３、ＲＯＭ２２、又はＲＡＭ２３に記憶されてもよい。
後述の実施形態は，ハードウエアの装置としてインプリメントされ得る。
【００２０】
図３は、実施形態の要部の構成を示すブロック図である。一実施形態は、入力部２２１、制御部３１５、登録部３５０及び表示部３７０を有する。更に制御部３１５は、商品群表示制御部３２０、セット商品領域表示制御部３３０、選択商品登録制御部３４０、及び購入商品表示制御部３６０を有する。入力部２２１には、セット解除キー３１２及びセット適用キー３１４が含まれる。
各ブロックの詳細な動作は、表示画面の図及びフローチャートの図を用いて後述するので、ここでは、各部の機能の概略を以下に説明する。
【００２１】
入力部２２１は、店舗のオペレータ又は顧客からの指示を受け取る機能を有する。セット解除キー３１２は、既に入力されたセット商品を構成する複数の商品を単品購入の商品とすることを指示するキーである。
【００２２】
セット適用キー３１４は、単品購入の商品又は、セット商品を構成する複数の商品に対して適用され、これらの商品に対して、複数の商品をセット商品に再構成することを指示する。なお、セット適用キー３１４は、既にセット商品となっている商品を別のセット商品に再構成させることなく、単品購入の商品だけを対象として、セット商品を構成させることを指示するキーとして用いられてもよい。
セット商品領域表示制御部３３０は、セット商品を構成する商品の個数と同じ数の構成商品領域を表示画面に表示するように表示部に指示する機能を有する。
【００２３】
商品群表示制御部３２０は、セット商品を構成し得る商品群が、リスト形式などで表示するように表示部に指示する機能を有する。この商品群から商品を選択することによって、セット商品に含めたい所望の商品を選択することができる。
購入商品表示制御部３６０は、登録部に登録された商品を表示するように表示部に指示する機能を有する。
登録部３５０は、セット商品、単品購入商品などを登録するメモリである。
【００２４】
選択商品登録制御部３４０は、入力部２２１によって選択された商品について、登録部３５０への商品の登録を登録部に指示する機能を有する。
【００２５】
図４は、セット商品のセットメニューの例を示す図である。このセットメニューは一例であって、有体物たる商品に限らず、ヘアーサロンなどの複数のサービスをセットにしたメニュー、喫茶店及びレストランなどでの複数の飲食物をセットにしたメニューなどであってもよいことは言うまでもない。また、ウェブ上での仮想店舗でのメニューなども当然に含まれる。
【００２６】
図４に示されるメニューを以下に説明する。
セットメニュー４１０は、セット商品を識別する名前が記載されている。セットメニュー４１０として、ポップコーン＆２ドリンクセット４５０が挙げられている。ポップコーン＆２ドリンクセット４５０は、セット適用価格４２０が８００円である。商品組合せパターン４４０に示されるように、食べ物のカテゴリー４４５として、いずれも単品価格が５５０円の塩ポップコーンＬ又はキャラメルポップコーンＬが選択できる。飲み物のカテゴリー４４７として、単品価格が２５０円のお好みのＭサイズのドリンク２つを選択できる。
ポップコーン＆１ドリンクセット４６０及びファミリ４ドリンクセット４７０の構成についても、図４に示されているとおりである。
【００２７】
セットメニュー４１０のいずれのセット商品も、セット適用価格４２０（セット価格）の方が、商品の各々を単品で購入した場合の価格４３０よりも安価に設定されている。
【００２８】
図５は実施形態における商品を選択するためのメイン選択画面の例を示す図である。
【００２９】
図５の選択商品欄５１０は、図３における購入商品表示制御部３６０の指示によって、図３の登録部３５０に登録されている購入商品が表示される。この選択商品欄５１０の表示内容を見ることによって、購入しようとしているセット商品及び単品購入商品を網羅的にかつ容易に確認することができる。
【００３０】
図５の選択商品欄５１０は、セット商品キー又は単品キーを操作者がタッチすることによって、所望のセット商品又は単品を選択することができる。
【００３１】
セット商品キー欄５５０は、種々のセット商品が表示されている。操作者は、所望のセット商品キーをタッチすることによって、セット商品を選択することができる。
【００３２】
単品キー欄５６０は、種々の単品購入商品が表示される欄であって、操作者がこれらの単品キーにタッチすることによって、単品購入の商品を選択することができる。いずれのキーも、複数回タッチすることで、タッチ回数分の商品数を入力できるようにしてもよい。あるいは、別途、数値キーを設けて、商品数を入力させるようにしてもよい。
【００３３】
図５の例では、操作者は、１番目に「ハンバーガ￥４００」の単品キーをタッチし、２番目に「ポップコーン＆２ドリンクセット￥８００」のセット商品キーをタッチした直後の状態が表示されている。セット商品（又は単品商品）が選択されたことが操作者にわかるように、選択直後のセット商品（又は単品商品）の番号「２」などをハイライト表示するようにしてもよい。なお、図５の状態においては、「ポップコーン＆２ドリンクセット￥８００」のセット商品キーがタッチされた直後であるため、当該セット商品を構成する商品を表示すべき構成商品欄（５１１ａ、５１１ｂ、５１１ｃ）は、空欄となっている。なお、これらの構成商品欄（５１１ａ、５１１ｂ、５１１ｃ）に「商品の選択を行ってください」などの入力を促すメッセージが表示されてもよい。
【００３４】
コマンドキー欄５７０は、操作者が所望のキーに触れることで、所望の処理コマンドを入力することができる。セット構成商品変更キー５７２は、セット商品を構成する商品が既に選択されている場合に、その構成する商品を変更するときに用いられる。
【００３５】
セット解除キー３１２は、すでにセット商品が選択されて選択商品欄５１０に表示されている場合に、セット商品を構成する商品を、単品購入の商品に変更するときに用いられる。
【００３６】
セット適用キー３１４は、商品選択欄５１０に表示されている単品購入商品をセット商品に含める場合に用いられる。或いは、セット適用キー３１４は、単品購入商品及び／又はセット商品を構成する商品を、他のセット商品に組み直す場合に用いられてもよい。
【００３７】
セット解除キー３１２、セット適用キー３１４、セット構成商品変更キー５７２は、１つのキーで構成されていても良い。また、これらのキーが１つのキーに纏められた場合には、どの操作（セット構成、セット解除、セット内容変更）を次に行うかの選択画面を表示するようにしても良い。
【００３８】
セット解除キー３１２及びセット適用キー３１４に関しては、セットが成立しているか否か（又はセット商品が選択商品欄５１０に存在するか否か）の状態を制御部３１５が判断して、キー操作が行えるように制御されてもよい。例えば、既にセット商品が選択されている場合には、セット解除キー３１２が操作者によって操作できるようにしてもよい。或いは、選択商品欄５１０に存在する単品商品（又はセット商品）を組み合わせると、より安価なセット商品と単品商品との組み合わせが存在する場合には、セット適用キー３１４が操作者によって操作できるようにしてもよい。
【００３９】
直前に戻る（ＵＮＤＯ）キー５７８は、このキーにタッチすることによって、直前に行った操作の前の状態に戻ることができるようにするキーである。これらのコマンドキーの機能の詳細は後述する。
２つのスクロールキー５４０は、選択商品欄５１０に表示しきれない選択商品を見るためにスクロールを指示するキーである。
【００４０】
選択商品・価格欄５２０は、セット商品及び単品購入の商品が選択されたときに、選択されたセット商品又は商品の名前と、価格が表示される欄である。ポップコーン＆２ドリンクセット￥８００が選択されたため、「￥８００」が表示されている。
合計額欄５３０は、選択商品欄５１０に表示されているすべてのセット商品及び単品購入の商品の合計額が表示される欄である。
【００４１】
商品数合計欄５３５は、選択商品欄５１０に表示されているすべてのセット商品及び単品購入の商品の数が表示される欄である。なお、セット商品については、１商品としてカウントし表示する。なお、セット商品を構成する複数の商品をカウントし表示するようにしてもよい。単品商品である「ハンバーガ￥４００」とセット商品である「ポップコーン＆２ドリンクセット￥８００」が選択されているため、商品数合計欄５３５に「２」が表示されている。合計額欄５３０には、「￥１，２００」が表示されている。
【００４２】
図６は、セット構成商品選択画面６００を示す図である。図６では、セット構成商品選択画面６００を用いてセット商品を構成する複数の商品のうちの第１の商品を選択する例を示す。セット構成商品選択画面６００は、例えば、図５に示したセット商品キー欄５５０のいずれかのセット商品がタッチされた場合、又は、後述するように選択商品欄５１０に表示されたセット商品を構成する商品がタッチされた後にセット構成商品変更キー５７２がタッチされたとき、或いは選択商品欄５１０に表示されたセット商品の表示領域がタッチされたとき等に表示される。なお、セット構成商品選択画面６００は、セット商品を構成する商品を選択又は変更する機能を有し、この画面がどのようなタイミングで表示されるようにするかは、上記の例に限定されるものではない。
【００４３】
図６のセット商品構成選択画面６００は、セット商品であるポップコーン＆２ドリンクセットが図５に示すメイン選択画面５００で選択されたときの表示を示している。選択されたセット商品が何であるかを示すために、ポップコーン＆２ドリンクセット６１０が表示されている。図４に示したように、ポップコーン＆２ドリンクセットは、食べ物のカテゴリー４４５として、塩ポップコーンＬ又はキャラメルポップコーンＬが選択でき、飲み物のカテゴリー４４７として、お好みのＭサイズのドリンクを２つ選択できる。
【００４４】
登録画面ボタン６６５は、任意のタイミング、例えばセット商品の選択が完了していない場合であっても、図５に示すメイン選択画面５００を表示させるためのボタンである。例えば、セット商品の選択途中で、登録画面ボタン６６５がタッチされ、メイン選択画面５００が表示された場合には、選択商品欄５１０のうちセット商品の選択がなされていない商品の欄は、空欄となるか「商品の選択を行ってください」などの入力を促すメッセージが表示されてもよい。
【００４５】
分数表示６１３は、セット商品を構成する商品の複数のうち、何番目の商品を現在選択しているかを表示している。「１／３」と表示されているので、セット商品は、３個の商品で構成されており、現在１個目の商品を選択していることがわかる。また、「［ボタン１］を選択中」との表示６１５は、左から１番目の構成商品領域６２１に表示されるべき商品を選択中であることを示している。このような表示を行うことによって、操作者は、セット商品を構成する商品の総数がわかるとともに、商品の選択の作業の進捗状況が容易に把握でき、かつ、選択しようとしている商品がどの位置の構成商品領域に表示されることになるのかを容易に把握することができる。
【００４６】
したがって、ポップコーン＆２ドリンクセットは、３つの商品で構成される。食べ物の構成商品領域６２１、飲み物の構成商品領域６２２及び飲み物の構成商品領域６２３の３つの構成商品領域６２０が表示されている。３つの構成商品領域６２０には、具体的な商品が選択されていないため、いずれの構成商品領域にも「商品の選択を行ってください」との指示が表示されている。この指示は、操作者に対して、商品の選択を促す指示の一例である。このような指示を表示することによって、操作者は、商品の選択がどの程度まで進んでいるのかを容易に認識することができるとともに、求められている操作の内容を容易に認識することができる。これによって、操作者は、容易にかつ迅速に適切な操作を行うことができる。なお、「商品の選択を行ってください」の表示は、構成商品領域内ではなく、構成商品領域の近傍に表示されるようにしてもよい。或いは、「商品の選択を行ってください」の表示を行わず、構成商品領域内を空白にするか、「？」などの文字、選択すべきカテゴリー（例えば「食べ物」、料理のコースメニューの選択の場合には「メインディッシュ」）などを表示するようにしてもよい。
商品選択キー欄６４０には、操作者が選択可能な適切な商品のキーが表示される。
加えて、すべての商品が選択し終えたことを商品販売管理装置に知らせるために、確定キー６６０が表示されている。
【００４７】
図６においては、ポップコーン＆２ドリンクセットを構成する３つの商品の全てが未だ選択されていない状態であるため、デフォルトで、食べ物の構成商品領域６２１がアクティブの状態になっていることが示されている。アクティブの状態を示すために、構成商品領域６２１は、黒地に白文字の表示となっているが、この表示に限られるものではなく、例えば、アクティブの状態を表示させるために、構成商品領域６２１を点滅させるなどの表示を行ってもよい。構成商品領域６２１は、予め食べ物の属性を与えられているため、商品選択キー欄６４０には、ポップコーン＆２ドリンクセットの食べ物のカテゴリーとして選択できる食べ物のキーだけが選択できるよう、「塩ポップコーンＬ１個￥５５０」のキーと「キャラメルポップコーンＬ１個￥５５０」のキーの二つのみが選択できるようになっている。また、図５に示したメイン選択画面５００に表示されている単品キーと同じ位置に同じ単品キーを表示させるようにすることが望ましい。このように、選択できるキーをポップコーン＆２ドリンクセットの食べ物のカテゴリーに属する商品のキーのみ表示し、メイン選択画面５００と同じ位置に商品キーを表示することによって、操作者は、該当するセットで選択し得る商品の選択を容易に行うことができ、迅速にかつ適切に商品を選択できる。また、操作者であるオペレータは、顧客に対して、選択できる商品を迅速的確に伝えることができる。選択可能な商品は、図１に示した顧客用ディスプレイ１１０にも表示させるようにしてもよい。加えて、顧客が顧客用ディスプレイに表示されたキーに触れることで、商品を顧客自身が選択できるようにしてもよい。以上の商品の表示及び選択に関する説明は、他のカテゴリーの商品の表示及び選択についても同様である。
【００４８】
なお、デフォルトで、構成商品領域６２１がアクティブとなっているが、デフォルトで他の構成商品領域が最初にアクティブになるようにしてもよい。或いは、アクティブでない構成商品領域に操作者がタッチした場合には、タッチされた構成商品領域がアクティブになるようにしてもよい。
【００４９】
商品が選択されると、「商品の選択を行ってください」の表示に代えて、選択された商品の名前などの情報が、現在アクティブな構成商品領域６２１に表示されるようにすることが望ましい。
【００５０】
図７は、図６において「キャラメルポップコーンＬ１個￥５５０」６４２が選択された直後のセット構成商品選択画面６００を示している。
【００５１】
図７で、構成商品領域６２１には、選択された商品の情報「キャラメルポップコーンＬ」が表示されている。そして、構成商品領域６２２がアクティブとなっている。このことにより、操作者に対して、キャラメルポップコーンＬが確実に選択されたこと、及び次の商品を選択する必要があることを容易に知らしめることができる。
【００５２】
構成商品領域６２２には、属性として飲み物のカテゴリーが付与されている。この場合、商品選択キー欄６４０には、選択できる飲み物のカテゴリーの商品のキーのみが表示されるようにすることが望ましい。
図８は、図７において、操作者により「アイスティーＭ１個￥２５０」６４４が選択された直後のセット構成商品選択画面６００を示している。
【００５３】
図８で、構成商品領域６２２には、選択された商品の情報「アイスティーＭ」が表示されている。そして、構成商品領域６２３がアクティブとなっている。このことにより、操作者に対して、アイスティーＭが確実に選択されたこと、及び次の商品を選択する必要があることを容易に知らしめることができる。
【００５４】
構成商品領域６２３には、属性として飲み物のカテゴリーが付与されている。この場合、商品選択キー欄６４０には、選択できる飲み物のカテゴリーの商品のキーのみが表示されるようにすることが望ましい。
【００５５】
図９は、操作者により「メロンソーダＭ１個￥２５０」６４６が選択されて、セット商品を構成する複数の商品の選択が終了したときの画面の例を示している。
【００５６】
構成商品領域６２１に、選択された「キャラメルポップコーンＬ」、構成商品領域６２２に、選択された「アイスティーＭ」、構成商品領域６２３に、選択された「メロンソーダＭ」が表示されている。この場合、ポップコーン＆２ドリンクセットを構成するすべての商品が選択し終わったため、３つの構成商品領域（構成商品領域６２１、構成商品領域６２２、構成商品領域６２３）のいずれもアクティブになっていないことが望ましい。この画面によって、操作者に対して、ポップコーン＆２ドリンクセットを構成する３つの商品全てを選択し終えたことを容易に知らしめることができる。なお、全ての商品の選択が完了した時点で、３つの構成商品領域（構成商品領域６２１、構成商品領域６２２、構成商品領域６２３）は非アクティブで表示され、商品選択キー欄６４０には、選択された商品キーが他の商品キーと表示態様を異ならせて表示されるようにしてもよい（不図示）。
【００５７】
操作者による確認がなされて、確定キー６６０が押される。確定キー６６０が押されるまでは、商品の選択のし直しが行えるようにすることが望ましい。商品の選択のし直しの例としては、選択し直したい構成商品領域（例えば構成商品領域６２２）を操作者がタッチして、構成商品領域をアクティブにさせて、商品の選択を行えばよい。この場合、アクティブにされた構成商品領域に応じて選択できる商品キーが表示されるようにして、適切な商品が選択できるようにすることが望ましい。商品の選択のし直し（商品変更）の具体的な例は、後述する。なお、このようにして確定キー６６０がタッチされるまでは、商品の変更（又は選択）が何回でも可能となるようにすることが望ましい。
【００５８】
なお、確定キー６６０が押された場合には、メイン選択画面５００を表示させるようにすることが望ましい。確定キー６６０は、商品の選択が終わったことを商品販売処理装置に知らしめるためのものであるが、確定キー６６０が必ず存在しなければならないわけではなく、すべての商品が選択し終わったときに、メイン選択画面５００に戻ってもよい。あるいは、確定キーは、全ての選択が終わった時点で表示されてもよい。
【００５９】
＜変形例１＞
上記の実施形態では、構成商品領域の１つをアクティブにさせたが、同じカテゴリーを複数選択できる場合（この実施形態の場合には、２つのＭサイズのドリンク）、複数の構成商品領域を同時にアクティブにさせてもよい。
【００６０】
＜変形例２＞
上記の実施形態では、構成商品領域６２１が食べ物のカテゴリーに設定され、構成商品領域６２２及び構成商品領域６２３が飲み物のカテゴリーに設定されたが、これは一例であって、予め構成商品領域にカテゴリーを設定しておかないようにしてもよい。例えば、３つの構成商品領域（構成商品領域６２１、構成商品領域６２２、構成商品領域６２３）のうち１つの構成商品領域に、食べ物のカテゴリーの商品が表示され、残りの２つの構成商品領域に飲み物のカテゴリーの商品が表示されるようにしてもよい。この場合、食べ物のカテゴリーの商品が２個選択されてしまった場合には、報知を行い、選択できないようにするか、既に選択され構成商品領域に表示された食べ物のカテゴリーの商品に代えて、後に選択された商品を表示させるようにしてもよい。
【００６１】
＜変形例３＞
上記の実施形態では、構成商品領域をアクティブにしたが、構成商品領域をアクティブにしなくてもよい。例えば、商品選択キー欄６４０に、セット商品に含められ得る商品のキーを表示させて、操作者に食べ物のカテゴリーの商品を１個、ドリンクのカテゴリーの商品を２個選択させてもよい。選択された順に選択された商品に関する情報を構成商品領域６２１、構成商品領域６２２、構成商品領域６２３に表示するようにしてもよい。
【００６２】
以上の変形例は、排他的なものではなく、矛盾のない限り、変形例の一部を採用したり、実施形態又は他の変形例と組み合わせたりすることができることは言うまでもない。
【００６３】
図１０は、図９に示したように、セット商品が選択された後のメイン選択画面の例である。
【００６４】
選択商品欄５１０には、ポップコーン＆２ドリンクセットが￥８００であることが表示されており、ポップコーン＆２ドリンクセットに含まれる商品すなわち「キャラメルポップコーンＬ」、「アイスティーＭ」、「メロンソーダＭ」が表示されている。加えて、単品のハンバーガが１個及びセット商品が１個選択されたことを示すために、商品数合計欄５３５に「２」が表示されている。また、合計額欄５３０には、商品選択欄５１０に表示されている商品の合計額￥１，２００が表示されている。このメイン選択画面５００によって、操作者に対して、セット商品を構成する商品を容易に知らしめることができるとともに、商品数合計及び合計額を容易に知らしめることができる。
【００６５】
図１１は、セット商品の構成を変更する指示を与えたときのメイン選択画面の例である。操作者は、選択商品欄５１０に表示されているポップコーン＆２ドリンクセットを構成する商品のうち、メロンソーダＭ５１２を他のドリンクに変更したいと欲している場合を想定する。
【００６６】
操作者は、まず、選択商品欄５１０に表示されている変更したい商品であるメロンソーダＭ５１２をタッチして選択状態にする。その後、セット構成商品変更キー５７２をタッチする。なお、メロンソーダＭ５１２と構成商品変更キー５７２とをタッチする順番は、一例であって、この順番に限られるものではない。また、セット構成商品変更キー５７２を省略してもよい。なお、メロンソーダＭ５１２をタッチする代わりに、選択商品欄５１０のポップコーン＆２ドリンクセット￥８００のキーをタッチするようにしてもよい。以上の操作により、図１２のセット構成商品選択画面６００が次に表示されるようにすることが望ましい。
【００６７】
図１２は、セット商品を構成する商品の変更を行う画面の例である。図１１でメロンソーダＭ５１２がタッチされたため、図１２のセット構成商品選択画面６００の構成商品領域６２３がアクティブの状態となることが望ましい。そして、メロンソーダＭと同じカテゴリーであって、メロンソーダＭと代替できる商品を含む商品が、商品選択キー欄６４０に表示されるようにすることが望ましい。このようにすることにより、操作者は、メロンソーダＭと代替できる商品を容易に選択することができる。操作者は、「ホットコーヒＭ１個￥２５０」６４８を選択することができる。
【００６８】
図１３は、セット商品を構成する商品の変更をした直後の画面の例である。図１２において、操作者により、「ホットコーヒＭ１個￥２５０」６４８が選択されたため、構成商品領域６２３には、「ホットコーヒＭ」が表示されている。
【００６９】
なお、図１３には表示されていないが、アイスティーＭを他のドリンクに変更したい場合には、「アイスティーＭ」が表示されている構成商品領域６２２を操作者がタッチすれば、構成商品領域６２２がアクティブの状態となるようにしてもよい。この場合、商品選択キー欄６４０には、選択可能なドリンクのカテゴリーの商品が表示されるようになる。操作者により、所望のドリンクが選択されると、構成商品領域６２２の表示が、新たに選択されたドリンクの表示に変更される。セット商品を構成するその他の商品も同様の操作で変更することができる。
【００７０】
図１３において、商品の変更が終わった場合には、商品の変更操作が終わったことを商品販売処理装置に知らしめるために、操作者により、確定キー６６０がタッチされることが望ましい。
【００７１】
図１４は、セット商品を構成する商品が変更された後のメイン選択画面の例である。図１３において確定キー６６０が押された直後に、図１４のメイン選択画面５００を表示するようにすることが望ましい。
【００７２】
選択商品欄５１０には、変更されたドリンク「ホットコーヒＭ」５１３が表示されていることがわかる。以上のようにすることによって、操作者は、適切なセット商品を構成する商品のうち、適切な商品を他の商品に変更することが容易に行えるとともに、変更した内容を容易に把握することが可能となる。
図１４において、次に、セット解除キー３１２がタッチされた場合を図１５において説明する。
【００７３】
図１５は、セット商品を構成する商品を単品商品に変更した画面の例である。図１４において、セット解除キー３１２がタッチされたため、セット解除キー３１２の表示が選択状態の表示に変わる。そして、選択商品欄５１０に示されるように、ポップコーン＆２ドリンクセットを構成する複数の商品が、単品購入商品に変更されて表示される。すなわち、選択商品欄５１０には、単品のハンバーガに加えて、「キャラメルポップコーンＬ￥５５０」５１５、「アイスティーＭ￥２５０」５１６、「ホットコーヒＭ」５１７が単品の状態で表示されるようになる。
【００７４】
なお、セット解除キーを再度タッチして、選択状態を解除すると、セット解除キーの押下前の状態に復帰させてもよい。或いは、セット適用キー３１４、又は、直前に戻る（ＵＮＤＯ）キー５７８を操作者が押すことにより、直前の状態に戻すことができるようにしてもよい。
【００７５】
このため、商品数合計欄５３５には、これらの単品購入商品の数である４が表示される。そして、合計額欄５３０には、選択商品欄５１０に表示されたすべての商品の合計である「￥１，４５０」が表示される。
【００７６】
このように、単品購入に変更できるようにすることにより、顧客の商品選択の要望に対してより柔軟に対応できる。なお、単品購入の場合には、セット商品の購入額よりも高い合計額となるのが通常である。
【００７７】
図１６は、セット商品と単品商品が選択されているメイン画面の例である。単品商品の選択は、メイン選択画面５００において、商品選択を行うことにより操作者が指定できる。
【００７８】
選択商品欄５１０には、「ファミリ４ドリンクセット￥８００」と、単品である「塩ポップコーンＬ￥５５０」、が既に選択された状態となっている。また、商品数合計欄５３５には、２が表示されており、合計額欄５３０には、合計金額「￥１，３５０」が表示されている。
この状態において、セット適用キー３１４がタッチされた後の状態を図１７に示す。
【００７９】
図１７は、セット適用キーを押下してセット商品が組み直された例を示す図である。選択商品欄５１０に示されるように、「ポップコーン＆２ドリンクセット￥８００」と単品商品である「アイスティーＭ￥２５０」及び「アイスコーヒＭ￥２５０」が表示されている。また、セット適用キー３１４が選択状態になっていることがわかる。セット適用キーを再度タッチして、選択状態を解除すると、セット適用キー３１４の押下前の状態に復帰させてもよい。或いは、直前に戻る（ＵＮＤＯ）キー５７８を押すことにより、直前の状態に戻すことができるようにしてもよい。
【００８０】
このため、商品数合計欄５３５には、商品合計数の３が表示される。そして、合計額欄５３０には、選択商品欄５１０に表示されたすべての商品の合計である「￥１，３００」が表示される。上記の処理においては、以下に示すように、商品の組合せを網羅的に探索し、合計額が最も安い組合せを発見するようにしてもよい。
この場合、以下の商品の組合せが考えられる。
（１）ファミリ４ドリンクセット￥８００と単品の塩ポップコーンＬ￥５５０で合計￥１，３５０
（２）ポップコーン＆２ドリンクセット￥８００と単品のＭサイズのドリンク￥２５０を２つで合計￥１，３００
（３）単品の塩ポップコーンＬ￥５５０と単品のＭサイズのドリンク￥２５０を４つで合計￥１，５５０
【００８１】
以上の組合せの中で、最も安価な組み合わせは、上記（２）である。このようにして最も安価な組み合わせを探索するアルゴリズムを適用して、最も安価な組み合わせの商品が選択商品欄５１０に示されるようにすればよい。
【００８２】
なお、選択商品欄５１０に既に１つでもセット商品が表示されている場合には、セット適用キー３１４の機能を抑制してもよい。このようにすることによって、セット商品の組合せが変更されたことに伴って、注文する顧客が混乱する可能性を防止することができる。或いは、顧客の注文を尊重することができる。このような場合に、強制的にセット商品の組合せを変更したい場合は、注文を最適な組み合わせにする指示キー（不図示）を別途設けるようにしてもょい。或いは、セット商品が登録されている場合には、セット解除キー３１２を操作者がタッチして、すべてを単品購入の状態にした後に、セット適用キー３１４をタッチできるようにしてもよい。或いは、セット商品が登録されている場合であって、セット適用キー３１４がタッチされた場合、セット商品以外の登録されている単品商品に対して、セット商品とする処理を行うようにしてもよい。或いは、一番安価となるセット商品の組み合わせの提案を表示させるようにして、セット適用キー３１４がタッチされた場合には、提案した商品の組み合わせを実行するようにしてもよい。
このようにすることによって、顧客の注文した全ての商品をより安価に提供でき、顧客へのサービスが向上するとともに、迅速な商品提供が可能となる。
【００８３】
図１８は、実施形態の概要の処理を示すフローチャートである。
以下に、フローチャートの各ステップを説明する。
［ステップＳ１８０２］入力部２２１から、入力を受け付けたか否かがチェックされる。入力があった場合には（「はい」）、ステップＳ１８０４に進む。入力がない場合には（「いいえ」）、ステップＳ１８０２の先頭に戻り処理を繰り返す。
【００８４】
［ステップＳ１８０４］入力部２２１から入力された情報が、商品の情報であるか否かがチェックされる。商品以外の情報である場合（「いいえ」）、入力情報は指示の情報であるためステップＳ１８３２に進む。商品の情報である場合には（「はい」）ステップＳ１８０６に進む。
【００８５】
［ステップＳ１８３２］指示された情報に応じた動作の実行を行う。指示の例としては、セット解除キー３１２の押下によるセット解除の動作（図２０参照）、セット適用キー３１４の押下によるセット適用及び最適化の動作（図２１参照）などがあげられる。なお、本実施形態と関係しない動作が多数存在するが、説明は省略する。
［ステップＳ１８０６］選択商品登録制御部３４０が、入力された商品の情報を登録するよう登録部３５０に指示する。
【００８６】
［ステップＳ１８０８］購入商品表示制御部３６０が、登録部３５０に登録された商品の情報を、表示部２２２の選択商品欄５１０に表示させるとともに、選択商品・価格欄５２０に商品の情報と商品価格を表示させ（表示している状況は不図示）。この処理ステップは、購入商品表示ステップの一例である。
【００８７】
［ステップＳ１８１０］入力された商品の情報がセット商品の情報か否かがチェックされる。例えば、セット商品列欄５１０のキーがタッチされた場合には、セット商品の情報と判断される。或いは、選択商品欄５１０に表示されている商品がタッチされた場合であってその商品がセット商品に包含されている商品である場合、又は選択商品欄５１０に表示されているセット商品がタッチされた場合には、セット商品の情報と判断される。セット商品と判断された場合（「はい」）、ステップＳ１８１２に進む。セット商品と判断されない場合（「いいえ」）ステップＳ１８３４に進む。
［ステップＳ１８３４］単品の処理、例えば、単品の商品の価格を加えた合計額を算出し、商品数合計欄５３５、及び合計額欄５３０の表示を更新する。
【００８８】
［ステップＳ１８１２］制御部３１５は、セット構成商品選択画面６００を表示部２２２に表示させ、セット商品を構成する商品の個数分の数の構成商品領域を確保し、これらの構成商品領域を表示する。この処理ステップは、セット商品領域表示ステップの一例である。この処理の詳細は、図１９を用いて説明する。
【００８９】
［ステップＳ１８１４］制御部３１５は、アクティブになっている構成商品領域を特定する。選択されたセット商品のいずれもが未だ選択されていない場合には、デフォルトでアクティブになる構成商品領域をアクティブとする。或いは選択商品欄５１０で、セット商品に含まれる特定の商品がタッチされた場合には、そのセット商品のためのセット構成商品選択画面６００を表示部２２２に表示させ、タッチされた商品に対応する構成商品領域をアクティブにすることが望ましい。
【００９０】
［ステップＳ１８１６］制御部３１５は、セット商品に対して選択し得る商品群のうち、アクティブな構成商品領域が持つ属性の商品カテゴリーに一致する商品を表示部２２２に表示させることが望ましい。この処理ステップは、商品群表示ステップの一例である。なお、セット商品に属する複数のカテゴリー全ての商品を表示させてもよい。この場合には、制御部３１５は、いずれの構成商品領域も表示形態を変えないように表示部２２２に表示させてもよい。或いは、選択された商品が表示されていない構成商品領域を目立つように表示させてもよい。或いは、選択された商品が表示されている構成商品領域を目立つようにしてもよい。
【００９１】
［ステップＳ１８１８］制御部３１５は、商品群が表示されている商品選択キー欄６４０から、商品が選択されたか否かをチェックする。選択された場合（「はい」）、ステップＳ１８２０に進む。選択されない場合には、ステップＳ１８１８の先頭に戻り、処理を繰り返すことが望ましい。
【００９２】
［ステップＳ１８２０］選択された商品をメモリに登録し、選択された商品を識別する情報をアクティブな構成商品領域に表示する。この処理ステップは、選択商品制御ステップの一例である。
以上の処理は、確定キー６６０が押されるまで繰り返されることが望ましい。確定キーがタッチされれば、メイン選択画面５００に戻る。
【００９３】
図１９は、セット商品を構成する商品の個数分の数の構成商品領域に指示を表示させるフローチャートである。このフローは、図１８のステップＳ１８１２内で実行される。
【００９４】
［ステップＳ１９０２］セット商品を構成する商品の個数分の数の構成商品領域に、選択された商品が既に表示されているか否かをチェックする。表示されている場合（「はい」）には、処理を終了する。表示されていない場合には（「いいえ」）ステップＳ１９０４に移る。
【００９５】
［ステップＳ１９０４］前記商品群の中から商品を選択するよう促す指示を表示する。例えば、「商品の選択を行ってください」などのメッセージを構成商品領域内に表示することが望ましい。なお、この表示は、構成商品領域外であって、構成商品領域の近傍に表示されてもよい。
【００９６】
図２０は、セット解除キーが押下されたときの処理を示すフローチャートである。このフローは、図１８のステップＳ１８３２内で実行される。
［ステップＳ２００２］セット解除キー３１２が押下されたかをチェックする。押下された場合（「はい」）、処理はステップＳ２００４に移る。押下されない場合には処理を終了する。
【００９７】
［ステップＳ２００４］メモリに登録されているセット商品を構成している各々の商品を単品購入商品に変更し、合計料金の再計算を行って、変更内容を選択商品欄５１０に表示し、再計算された商品の個数を商品数合計欄５３５に表示し、再計算された合計料金を合計額欄５３０に表示する。
【００９８】
図２１は、セット適用キーが押下されたときの処理を示すフローチャートである。このフローは、図１８のステップＳ１８３２内で実行される。
【００９９】
［ステップＳ２１０２］セット適用キー３１４が押下されたかをチェックする。押下された場合（「はい」）、処理はステップＳ２１０４に移る。押下されない場合には処理を終了する。
【０１００】
［ステップＳ２１０４］メモリ（登録部３５０）に登録されている商品をセット商品に含める第１の処理が可能か否か、又は複数のセット商品を他のセット商品に組み直す第２の処理が可能か否かを判断し、可能である第１の処理又は可能である第２の処理を行って商品を登録し、処理の結果を表示する。処理の結果は、選択商品欄５１０、商品数合計欄５３５、合計額欄５３０に反映される。
【０１０１】
なお、セット商品の構成商品を追加する際に、画面に表示されたキーなどを操作者がタッチする代わりに、バーコードのスキャン、商品自体のパターン認識技術などを利用して、構成商品を追加できるようにしてもよい。この場合、追加される商品が、セット商品に追加できない商品であるときには、単品商品として登録し、選択商品欄５１０に表示させるようにすればよい。
【０１０２】
なお、本明細書においては、実店舗における実施形態を例示しているが、店舗は、インターネットなどのネットワーク上の仮想店舗であってもよい。この場合には、携帯端末、ＰＯＳ端末などは、顧客の操作する携帯電話、タブレット、パーソナルコンピュータなどであってもよい。
【０１０３】
また、本実施形態は、有体物たる商品を扱う業務のみに使用されるものではなく、無形の役務であるサービスに対しても適用できることは言うまでもない。すなわち、本明細書において使用される「商品」の語は、サービスをも包含するものとして理解される点に留意すべきである。
【０１０４】
上記実施形態では、メイン選択画面５００とセット構成商品選択画面６００とを分けて画面に表示させる例を示したが、いずれの項目をいずれの画面に表示させるかは、矛盾の無い限り、当業者が適宜に選択して実装することができる。或いは、携帯端末のように、表示画面が小さい場合には、３つ以上の画面に表示を分割して見やすく表示させるようにしてもよい。
以上の実施形態は，請求項に記載された発明を限定するものではなく，例示として取り扱われることは言うまでもない。
【符号の説明】
【０１０５】
２２１  入力部
２２２  表示部
３１２  セット解除キー
３１４  セット適用キー
３１５  制御部
３２０  商品群表示制御部
３３０  セット商品領域表示制御部
３４０  選択商品登録制御部
３５０  登録部
３６０  購入商品表示制御部
【図１】
2019117469.tif 000003
【図２】
2019117469.tif 000004
【図３】
2019117469.tif 000005
【図４】
2019117469.tif 000006
【図５】
2019117469.tif 000007
【図６】
2019117469.tif 000008
【図７】
2019117469.tif 000009
【図８】
2019117469.tif 000010
【図９】
2019117469.tif 000011
【図１０】
2019117469.tif 000012
【図１１】
2019117469.tif 000013
【図１２】
2019117469.tif 000014
【図１３】
2019117469.tif 000015
【図１４】
2019117469.tif 000016
【図１５】
2019117469.tif 000017
【図１６】
2019117469.tif 000018
【図１７】
2019117469.tif 000019
【図１８】
2019117469.tif 000020
【図１９】
2019117469.tif 000021
【図２０】
2019117469.tif 000022
【図２１】
2019117469.tif 000023